(57)【要約】【課題】従来の除草器は、直線状の刃を、柄の中心線に対し直角に取り付けてあるため、刃先を地面に押し付ける力が刃幅全体に平均化され、硬い地面では、刃先が滑って逃げ易い、根の張った雑草が密生した地面では、刃先が地面に食い込み難く、切削能力が不足、等の欠点があった。【解決手段】除草刃刃先を鋭利な鋸歯状にしたことで、刃先を地面に押し付ける力が、刃先の鋭利な部分に集中するようになり、刃先が滑って逃げるのが改善され、鋸歯状の除草刃を切出し状に斜め向きに取り付けたことにより、鋸で木材を切断するのと似た刃の動きをさせることができるようになり、切削能力が向上し、対応できる地面、雑草の幅が広くなった。【選択図】図１
2008167733.tif 000002
【特許請求の範囲】
【請求項１】
鋸歯状の除草刃上面を水平にして、柄を同一水平面に水平に置いた状態、または柄の前端を同一水平面に当て、後端を高くして柄を傾斜させた状態での平面図上において、柄の前部に、刃がある側を前方または斜め前方に向けて、鋸歯状の除草刃を直接または間接的に取り付けた除草器。
【請求項２】
鋸歯状の除草刃上面を水平にして、除草刃の刃のある側を斜め前方に向けた平面図上において、除草刃前端の歯の先端と、除草刃後端の歯の先端とを結んだ直線を刃の前縁とし、刃の前縁またはその延長線と、柄の中心線またはその延長線とが交叉する角度の鋭角部分が、５度以上８０度以下の範囲で、柄の前部に刃の前縁を斜め前方に向けて、鋸歯状の除草刃を直接または間接的に取り付けた除草器。
【請求項３】
除草刃保持具を含めた柄の長さが、０．５メートル以上、５メートル以下の請求項１記載の除草器。
【請求項４】
除草刃保持具を含めた柄の長さが、０．５メートル以上、５メートル以下の請求項２記載の除草器。
【発明の詳細な説明】
【技術分野】
【０００１】  本発明は、庭園、公園、境内、校庭等の雑草を、先端部に刃の付いた柄を押して削り取る除草器に関する。
【背景技術】
【０００２】  従来、この種の除草器には、三角状の刃を待ったものがある。（特許文献１、特許文献２参照）【０００３】  以下、図７、図８により、従来の除草器について説明する。図７は平面図で、柄取り付け具１０２先端に、除草刃１０１の直線状の刃先１０１ａをほぼ直角に交差させ、側面図、図８のように取り付けたものである。柄取り付け具１０２に柄を取り付け、刃先１０１ａを斜め下方の除草する地面に当て、柄を押して刃先を地面に食い込ませながら、雑草を削り取るものである。【０００４】
【特許文献１】  意匠公報  ２４６５８５
【特許文献２】  意匠公報  ３５９８９２
【発明の開示】
【発明が解決しようとする課題】
【０００５】  従来の除草器は、次のような問題があった。
（イ）直線状の刃では、刃先を地面に押し付ける力が刃幅全体に平均化して分散され、地面が硬くなるにつれ、刃先が滑って逃げ易くなり、地面に食い込み難い。
（ロ）根の張った雑草が密生した場所では、地面の脆さが雑草の根によって補強されているため、刃先が食い込み難く、切り崩すのに大きな力が必要である。【０００６】  本発明は、このような従来の除草器が有している問題を解決しようとするもので、作業が楽で、大きな除草効果が得られる除草器を実現するものである。
【課題を解決するための手段】
【０００７】  第１の解決手段は、直線状の除草刃の刃先を鋸歯状にしたことである。【０００８】  そして、第２の解決手段は、除草刃の上面を水平にした状態で、上面から見て、従来、柄の前後方向の中心線に対し、直角に交叉するように取りつけられていた、除草刃刃先の向きを、斜め前方に向けたことである。【０００９】  第１の解決手段による作用は、刃先を鋸歯状とすることで、最初に刃先を地面に当てたとき、刃先先端の尖鋭な部分のみが地面に接し、そこに集中して押しつける力が加わるため、滑り難く、地面への刃先の食い込みが容易となった。【００１０】  第２の解決手段による作用は、次の通りである。例えば、鋸で木材を切断する場合、刃を木材に押しつけただけでは、切ることは不可能で、押しつけた状態で刃をスライドさせることによって、切断できるのである。すなわち、第一の解決手段で採用した鋸歯状の除草刃をスライドさせて、切削能力の向上を図り、地面を切削しようとするものである。【００１１】  地面そのものは、比較的小さい雑草が生えている段階では、木材と比較して脆く、刃先を押し付けただけでも切削可能である。しかし、密生した雑草が成長し、地中に無数の根を張った段階になると、刃先を押し付けただけでは簡単に切り崩すことは難しい。【００１２】  ところが、鋸歯状の刃先を地面に押しつけ、更に刃をスライドさせる動きを併用することにより、上記、木材を切断する場合に似た刃の動きとなり、より軽い力で切削が可能である。すなわち、柄を押すことによって、鋸で木材を切るのと同等の刃の動きをさせれば良い。しかし、柄の中心線に対して直角に交叉させた除草刃では、刃先を真横よりわずかに前方寄りに動かすことが必要で、操作に無理があり作業は困難である。【００１３】  そこで、図２の平面図のように、柄の中心線に１１対し、鋸歯状の除草刃を斜め向きに取り付けることにより、柄を右斜め前方へ押して、刃先をスライドさせながら除草する操作が無理なくできるようになった。また、柄の中心線１１と、刃の前縁１３とが交叉する角度の鋭角部分１２を更に狭くすれば、切削幅は減少するが、柄をまっすぐに押すのみで、刃先をスライドさせるのに近い刃の動きが可能で、より軽い力で除草できるようになり、根の張った雑草に対して有効である。図２では、除草刃の刃の前縁の向きが作業者側から見て左前方であるが、右前方に向いた除草刃でも違和感なく使用できる。
【発明の効果】
【００１４】  上述のように、本発明による除草器は、除草刃刃先を鋸歯状としたこと、刃を切出し状に斜め向きに取り付けたことにより、除草する雑草が比較的小さい場合には、柄を正面前方に押すことで除草幅を広く、大きく根が張った雑草に対しては、除草幅は狭くなるが、切削する地面に当てた刃先をスライドさせながら、やや前方寄りに押す操作、または、図４（ｃ）のように、柄の中心線と刃の前縁とが、交叉する角度の鋭角部分１２を小さくすることで、より軽い力で切削できるようになり、対応できる雑草の幅が広くなった。柄を直線的に押すのみで、刃先が地面に侵入しながら前進するので、柄を上から地面に押しつける必要が無く、また、刃先は全く持ち上げる必要が無いため、本体の重量が作業者の負担にならず、逆に慣性が大きいことが、除草効果を高めている。両手で柄を持って、前後に動かす動作を繰り返すのみで除草でき、作業が楽で効率の良い除草器を提供できる。
【発明を実施するための最良の形態】
【００１５】  以下、本発明実施の形態を図１〜図６に基づいて説明する。【００１６】  図１は本発明鋸歯状の除草刃を使用した除草器の主要部斜視図で、除草刃１は、除草刃保持具２にボルト４、ナット５によって固定され、除草刃保持具２は、柄３の前部に、ボルト７、ナット８で固定されている。【００１７】  図２は除草刃上面を水平にしたときの平面図で、柄の中心線１１と、鋸歯状の除草刃前端の歯の先端１ｙ、除草刃後端の歯の先端１ｚを結んだ刃の前縁１３との、両直線が交叉する角度１２を狭くしたこと、すなわち、従来、柄の中心線に対して、直角に取り付けられていた刃の前縁を、斜め向きにしたことにより、柄を右斜め前方に押す操作が無理なくできるようになり、鋸で木材を切断するのに似せた刃の動きをさせることで、より軽快に地面を切削できる。【００１８】  図３は側面図で、刃先が浅い角度で地面に侵入できるように、除草刃１は柄に対してある角度をもって取り付けられている。【００１９】  図４は，除草刃の角度を変えられるようにした実施例の平面図で、柄の中心線１１と刃の前縁１３とが交叉する角度の鋭角部分１２を、除草刃の取り付け穴１４の使い分けにより、２段階に変えられるようにしたもので、この角度を狭くすることで除草幅は狭くなるが軽い力で地面を切削でき、根の張った雑草に対して有効である。（ａ）は除草刃を取り付ける前、（ｂ）は約４５度、（ｃ）は約２０度の角度で除草刃を取り付けたものである。除草刃取り付け穴の形状を円弧状の長穴としたり、除草刃の端面から長穴状の切り欠きを入れ、除草刃を回転させて任意の角度に設定することもできる。除草刃保持具側に明けた穴の使い分けによって刃の角度を変えるようにしても良い。【００２０】  図５は、本発明の除草器を使用した作業中の様子を示すもので、両手で柄の後部を持って、除草刃刃先を地面に当て、柄を押して地面を削って除草する。【００２１】  図６は柄の前部に収納式の熊手を併設し、別体の熊手に持ち替えることなく、除草した雑草を除去できるようにしたもので、（ａ）は熊手を使用できる状態にしたとき、（ｂ）は熊手収納時の斜視図である。除草中は未除草の雑草が除草済みの雑草の下に隠れてしまい、見逃して除草漏れになってしまうことが多く、頻繁に除草済みの雑草を除去しながら除草することが望ましい。別体の熊手を使用する場合は、いったん除草器を置いた後に、熊手に持ち替えて除草済みの雑草を除去し、再度除草器に持ち替えて除草作業を行うことになる。この作業は除草中頻繁に行うため、別体の熊手ではまことに不便であり、除草器に熊手を併設することで、柄を回転させるのみで熊手を使用でき、作業性が向上している。熊手を併用してもほとんど除草作業に支障は無く、大きな雑草の除草や、狭い場所での除草時において、邪魔になるときは収納できるようにしたものである。
【図面の簡単な説明】
【００２２】
【図１】  本発明除草器主要部斜視図
【図２】  同主要部平面図
【図３】  同主要部側面図
【図４】  同除草刃の柄の中心線に対する角度を変えられるようにした実施例の主要部平面図で、（ａ）は除草刃を取り付け前の図、（ｂ）は約４５度の角度で除草刃を取り付けた図、（ｃ）は約２０度の角度で除草刃を取り付けた図である。
【図５】  同使用の作業の様子を示す図
【図６】  同前部に熊手を併設した斜視図で（ａ）は熊手を使用状態にした図（ｂ）は熊手を収納した状態の図である。
【図７】  従来の除草器平面図
【図８】  同側面図
【符号の説明】
【００２３】    １      除草刃
１ｂ    除草刃上面
１ｙ    除草刃前端の歯の先端
１ｚ    除草刃後端の歯の先端
２      除草刃保持具
３      柄
１１    柄の中心線
１２    柄の中心線と刃の前縁とが交叉する角度の鋭角部分
１３    刃の前縁
【図１】
2008167733.tif 000003
【図２】
2008167733.tif 000004
【図３】
2008167733.tif 000005
【図４】
2008167733.tif 000006
【図５】
2008167733.tif 000007
【図６】
2008167733.tif 000008
【図７】
2008167733.tif 000009
【図８】
2008167733.tif 000010